(57)【要約】【課題】紙粉の付着が少ない扁平な箱体を形成することができるようにしたフォルダグルアを提供することである。【解決手段】上部搬送ベルト１と下部搬送ベルト２とでブランクＢを挾持して一方向に搬送し、そのブランクＢの両側のパネルＰ1 、Ｐ4 を折曲ベルト４により下向きに１８０°折曲げて一側のパネルに連設された接合代Ｐ5 を他側のパネルＰ1 に接合する。ブランクＢの両側のパネルＰ1 、Ｐ4 が略１８０°折曲げられた位置にサクションカバー１１と、そのサクションカバー１１内で回転するブラシロール１２とを設け、ブラシロール１２との接触によってブランクＢの両側縁部に付着する紙粉を除去し、その紙粉をサクションカバー１１内に吸引して、紙粉の周囲への飛散を防止する。【選択図】図１
2005111709.tif 000002
【特許請求の範囲】
【請求項１】
縦罫線により区分された４枚のパネルを有する段ボールシートから成るブランクを一方向に搬送し、その搬送中において両側のパネルを同方向に１８０°折り曲げて一側のパネルの側縁に連設された接合代と他側のパネルの重なり部とを互に接着して扁平な箱体を形成するフォルダグルアにおいて、前記ブランクの両側のパネルが１８０°折り曲げられた位置の両側に外周一部に開口部を有し、内部に吸引力が付与されるサクションカバーを、その開口部がブランクの両側の折曲げ部と対向するようにして設け、そのサクションカバー内に前記ブランクの両側縁部と接触する状態で回転駆動されるブラシロールを設けたことを特徴とするフォルダグルア。
【発明の詳細な説明】
【技術分野】
【０００１】
この発明は、縦罫線によって区分された４枚のパネルを有する段ボールシートから成るブランクを一方向に搬送させつつ両側のパネルの折曲げと、接着とを行って扁平な箱体を形成するフォルダグルアに関するものである。
【背景技術】
【０００２】
箱形成用の段ボールシート製のブランクとして図６に示したものが知られている。このブランクＢは、第１縦罫線ａ1 乃至第４縦罫線ａ4 により区分された第１パネルＰ1 乃至第４パネルＰ4 と、接合代Ｐ5 とを有し、第１パネルＰ1 乃至第４パネルＰ4 の一方の端縁に横罫線ｂ1 を介して蓋フラップＦ1 が連設され、かつ、他方の端縁に横罫線ｂ2 を介して底フラップＦ2 が連設されている。
【０００３】
上記のようなブランクＢは、フォルダグルアに供給され、そのフォルダグルアによって両側の第１パネルＰ1 および第４パネルＰ4 が１８０°折曲げられて接合代Ｐ5 と第１パネルＰ1 とが互に接着され、図７に示すような扁平な箱体Ａが形成される。
【０００４】
上記の扁平な箱体Ａは、４角筒状に開箱され、底フラップＦ2 の折曲げによって底が形成され、かつ蓋フラップＦ1 の折曲げにより蓋が形成されて包装箱とされ、上記蓋フラップＦ1 の折曲げ前に内部に商品が詰め込まれる。
【０００５】
ここで、包装箱を形成するブランクＢは、矩形の段ボールシートに第１縦罫線ａ1 乃至第４縦罫線ａ4 と横罫線ｂ1 、ｂ2 の罫入れを行ない、第１縦罫線ａ1 乃至第３縦罫線ａ3 のそれぞれの両側端部を溝切りするための打抜きを行なうことによって形成され、その打抜き時に紙粉が発生する。また、打抜き時に、段ボールシートが押し潰され、表裏のライナー間に設けられた波状の中しんがＳ字形に変形する状態で打抜きが行なわれるため、打抜き切断部にひげ状の打抜き屑が発生する場合が多い。
【０００６】
上記の紙粉や打抜き屑（以下、総称して「紙粉」という）がブランクＢに付着して残ると、包装箱によって包装される商品に付着して商品価値を下げることになる。特に、商品が食品の場合、紙粉の付着によって不衛生な感じを与え、商品価値を著しく低下させることになる。
【０００７】
そのような問題点を解決するため、包装箱が形成される前段階において扁平な箱体に付着する紙粉を除去することが行なわれている。
【０００８】
扁平な箱体に付着する紙粉の除去方法として、吸引除去する方法と、ブラシとの接触によって除去する方法が従来から知られている。
【０００９】
ここで、吸引による紙粉の除去に際しては、紙粉の回収効率が低いため、ブラシとの接触によって紙粉を除去することが行なわれている。
【発明の開示】
【発明が解決しようとする課題】
【００１０】
ところで、ブラシとの接触によって紙粉を除去する従来の紙粉除去装置においては、フォルダグルアから排出される扁平な箱体を設定枚数積み重ねて結束し、その結束された扁平な箱体の外周に回転駆動されるブラシを接触させて紙粉を除去するようにしているため、扁平な箱体の外周に付着する紙粉のみしか除去することができず、扁平な箱体の衝合面の外周部に付着する紙粉を除去することができずに残り、紙粉の除去効率が低く、紙粉の付着が少ない扁平な箱体を得ることができないという不都合があった。
【００１１】
この発明の課題は、紙粉の付着がきわめて少ない良好な扁平な箱体を形成することができるようにしたフォルダグルアを提供することである。
【課題を解決するための手段】
【００１２】
上記の課題を解決するために、この発明においては、縦罫線により区分された４枚のパネルを有する段ボールシートから成るブランクを一方向に搬送し、その搬送中において両側のパネルを同方向に１８０°折り曲げて一側のパネルの側縁に連設された接合代と他側のパネルの重なり部とを互に接着して扁平な箱体を形成するフォルダグルアにおいて、前記ブランクの両側のパネルが１８０°折り曲げられた位置の両側に外周一部に開口部を有し、内部に吸引力が付与されるサクションカバーを、その開口部がブランクの両側の折曲げ部と対向するようにして設け、そのサクションカバー内に前記ブランクの両側縁部と接触する状態で回転駆動されるブラシロールを設けた構成を採用したのである。
【発明の効果】
【００１３】
上記のように、ブランクの両側のパネルがほぼ１８０°折曲げられる位置に、ブランクの両側縁部と接触する状態で回転するブラシロールを設けたことによって、そのブラシロールとの接触によってブランクの両側部に付着する紙粉を除去することができると共に、ブランクを一枚ずつ連続して処理するため、ブラシロールとブランクとの接触が良好であり、ブランクの両側縁部に付着する紙粉をきわめて効果的に除去することができ、紙粉の付着がきわめて少ない良好な箱体を得ることができる。
【００１４】
また、除去した紙粉をサクションカバー内に吸引することができるため、紙粉の周囲への飛散を防止し、作業環境が悪化するのを防止することができる。
【発明を実施するための最良の形態】
【００１５】
以下、この発明の実施形態を図１乃至図５に基づいて説明する。図１に示すように、フォルダグルアは、２本のほぼ平行に配置された上部搬送ベルト１のそれぞれ下方に、その上部搬送ベルト１より長さの短い下部搬送ベルト２を、その搬入端が上部搬送ベルト１の搬入端にほぼ一致するようにして設け、上部搬送ベルト１の下側のキャリア側ベルト１ａと下部搬送ベルト２の上側に位置するキャリア側ベルト２ａとで図６に示す打抜き、罫入れ加工を施されているブランクＢを上下から挾持して図１の矢印方向に搬送し、その搬送路の両側に設けられた第１折畳み棒３によりブランクＢの両側の第１パネルＰ1 および第４パネルＰ4 をその内側の第１縦罫線ａ1 および第３縦罫線ａ3 に沿って下向きに折曲げるようにしている。
【００１６】
なお、図では省略したが、下部搬送ベルト２の外側方にはブランクＢの第１縦罫線ａ1 および第３縦罫線ａ3 に対応して折曲げガイドが設けられ、その折曲げガイドに沿って第１パネルＰ1 および第４パネルＰ4 をさらに下向きに折曲げるようにしている。
【００１７】
上記折曲げガイド（図示省略）は、ブランクＢを水平に支持する位置から第１パネルＰ1 および第４パネルＰ4 が第２パネルＰ2 および第３パネルＰ3 に対して徐々にほぼ９０°折曲げられる位置に至る長さを有している。
【００１８】
また、各下部搬送ベルト２の搬出端部における外側方のそれぞれに、パネル折曲げ用の折曲げベルト４の一端部を配置し、この折曲げベルト４のキャリア側ベルト４ａを複数のベルト案内ローラ５で案内して捩りを与えると共に、キャリア側ベルト４ａのそれぞれ他端部を上部搬送ベルト１におけるキャリア側ベルト１ａの搬出端に対して上下で対向させ、上記各折曲げベルト４のキャリア側ベルト４ａと、この各キャリア側ベルト４ａのそれぞれの搬出端部に沿って設けた第２折畳み棒６とによってブランクＢの第１パネルＰ1 および第４パネルＰ4 を内方向にさらに９０°折曲げて水平状になるようにしている。
【００１９】
さらに、第１パネルＰ1 および第４パネルＰ4 がほぼ１８０°折曲げられたブランクＢの搬送路両側に複数の溝付き成形ロール７をブランクＢの搬送方向に間隔をおいて設け、各溝付き成形ロール７によってブランクＢの両側の折曲げ部を成形すると共に、ブランクＢの第１パネルＰ1 および第４パネルＰ4 を１８０°の折曲げ状態に保持して、第４パネルＰ4 に連設された接合代Ｐ5 とこれに重なる第１パネルＰ1 の側縁部とを、上記接合代Ｐ5 に予め塗布された接着剤を介して互に接合し、扁平な箱体Ａを形成するようにしている。
【００２０】
上記の構成から成るフォルダグルアは、例えば実開平６−２１９２６号公報に記載されたフォルダグルアと同じ構成であり、実施の形態では、そのフォルダグルアの溝付き成形ロール７の上流側、すなわち、ブランクＢの第１パネルＰ1 および第４パネルＰ4 がほぼ１８０°折曲げられた位置に紙粉除去装置１０を設けている。
【００２１】
図２乃至図５は、上記紙粉除去装置１０の詳細を示す。図示のように紙粉除去装置１０は、サクションカバー１１と、そのサクションカバー１１内に組込まれたブラシロール１２とを有している。
【００２２】
サクションカバー１１は外周一部に開口部１３を有し、その開口部１３がブランクＢの両側の折曲げ部と対向するように設けられている。このサクションカバー１１には吸込み口１４が形成され、その吸込み口１４に接続されたサクションチューブ１５は図示省略したサクションブロワの吸引口に接続され、上記サクションブロワの駆動によってサクションカバー１１内に吸引力が付与される。
【００２３】
ブラシロール１２は、その外周一部がサクションカバー１１の開口部１３から外部に露出する組付けとされてブランクＢの両側縁部と接触可能とされている。このブラシロール１２のロール軸１２ａと溝付き成形ロール７のロール軸７ａ間にベルト作動装置１６が設けられ、そのベルト作動装置１６により溝付き成形ロール７の回転がブラシロール１２に伝達されて、ブラシロール１２が図５の矢印で示すように、ブランクＢの移送方向と逆方向に回動されるようになっている。
【００２４】
上記のように、第１パネルＰ1 と第４パネルＰ4 とがほぼ１８０°折曲げられたブランクＢの搬送路にブランクＢの両側縁部と接触して一方向に回転されるブラシロール１２を設けることによって、そのブラシロール１２はブランクＢが送り込まれてくる毎にそのブランクＢの両側縁部と接触するため、事前の打抜き加工によってブランクＢの両側縁部に付着している紙粉をブラシロール１２との接触によって効果的に除去することができ、紙粉の付着が少ないきわめて良好な扁平な箱体Ａを形成することができる。
【００２５】
また、ブラシロール１２との接触によって除去された紙粉はサクションカバー１１内に吸引されてサクションチューブ１５から排出されるため、紙粉が周囲に飛散することがなく、作業環境が悪化するのを防止することができる。
【図面の簡単な説明】
【００２６】
【図１】この発明に係るフォルダグルアの実施形態を示す斜視図
【図２】紙粉除去装置部分を示す一部切欠正面図
【図３】図２の一部分を拡大して示す一部切欠正面図
【図４】図３のIV−IV線に沿った断面図
【図５】図３のＶ−Ｖ線に沿った断面図
【図６】包装箱形成用のブランクを示す斜視図
【図７】図６に示すブランクから形成された扁平な箱体を示す斜視図
【符号の説明】
【００２７】
Ａ  箱体
Ｂ  ブランク
Ｐ1   第１パネル
Ｐ2   第２パネル
Ｐ3   第３パネル
Ｐ4   第４パネル
Ｐ5   接合代
ａ1   第１縦罫線
ａ3   第３縦罫線
１１  サクションカバー
１２  ブラシロール
１３  開口部
【図１】
2005111709.tif 000003
【図２】
2005111709.tif 000004
【図３】
2005111709.tif 000005
【図４】
2005111709.tif 000006
【図５】
2005111709.tif 000007
【図６】
2005111709.tif 000008
【図７】
2005111709.tif 000009